(57)【要約】【課題】こたつとこたつ布団において、座卓とこたつ板にはさまれた部分のこたつ布団は無駄で、こたつ布団は使用中に片方に引っぱられて隙間が生じて暖気が外へ洩れることがあり、また冬期以外、こたつ板は収納スペースを必要とする邪魔ものであるので、これらの問題を解決する。【解決手段】従来のこたつ板を廃し、改良型座卓の４辺に直接固定できる作りのこたつ布団を組み合わせることによって、使用中にこたつ布団が移動することがなくなって、こたつ布団も無駄を省いた分、コンパクトになって洗濯が容易になり、冬期以外のこたつ板の収納場所も不要となる。【選択図】図１
0003135463.tif 000002
【実用新案登録請求の範囲】
【請求項１】
こたつ用座卓とこたつ布団において、従来のこたつ板を廃し、座卓とこたつ板の間に挟まる部分の無駄なこたつ布団も省き、改良型座卓と、その四辺に直接固定する作りのこたつ布団を組み合わせることによって、冬はこたつとして、他の季節はこたつ布団を取り外して座卓とし、オールシーズン使用できるようにした改良型座卓とこたつ布団。
【考案の詳細な説明】
【技術分野】
【０００１】  本考案はこたつ板を廃し、改良型座卓と、それに適合させたこたつ布団に関する。
【背景技術】
【０００２】  従来のこたつは、暖房座卓の上にこたつ布団をかぶせ、その上にこたつ板を置くという作りになっている。こたつ板とこたつ布団を使用しない暖房テーブルはある（例えば、特許文献１、２）。また、こたつ布団を数片に分けてファスナーでつなぐこたつ布団もある（例えば特許文献３）。
【特許文献１】  特願平６−４６６４８
【特許文献２】  特願平６−１４２４３
【特許文献３】  特願２００４−７５４８０
【考案の開示】
【考案が解決しようとする課題】
【０００３】  以上に述べた特許文献１、２は、いずれも夏冬兼用のテーブルで、冬は暖房器具をつけ、夏は取り外して使用するものだが、こたつ布団を使用しないので、こたつと呼ぶには相応しくない。特許文献３はこたつ布団を数片に分けてファスナーでつなぐものであるが、綿材に化学繊維や羽毛を使用することによって、洗濯を容易にし、安価なこたつ布団を提供しようとするものであり、暖房座卓にかぶせたこたつ布団の上にこたつ板を載置するという点は、従来のこたつ布団とまったく変わらない。この座卓とこたつ板の間のこたつ布団は無駄であり、使用中に布団がずれて隙間があいて、暖気が外へ逃れることもある。
【課題を解決するための手段】
【０００４】  本考案は、従来のこたつ布団の上にこたつ板を載置するという構造を一変して、こたつ板を廃し、改良型座卓の四辺に固定してぶら下げる作りのこたつ布団を用意し、夏は座卓として使用し、冬はこたつ布団を取り付け、座卓に市販の暖房器具をつけてこたつとして使用しようというものである。
【考案の効果】
【０００５】  夏冬兼用の座卓とし、こたつ板を廃した結果、こたつを使用しない季節にこたつ板を収容するスペースが不要となり、こたつ布団は座卓に固定するので、使用中に動いて一方へ片寄るということもなくなり、図１のごとく布団片４枚を着脱式スライドファスナーでつないで使用し、スペアを１枚用意すれば、子供が食べ物をこぼして汚した場合など、その布団片１枚だけを取り替えればすむし、１枚１枚はコンパクトであるから洗濯機で容易に洗えるようになる。
【考案を実施するための最良の形態】
【０００６】  以下、本考案実施の形態を図１〜図１２に基づいて説明する。
図１は本考案の全容を真上から見た図で、改良型座卓と４枚のこたつ布団片を離して置いたものである。１は請求項１の改良型座卓の表面である。２はこの座卓に取り付ける４枚のこたつ布団であり、３はこたつ布団を改良型座卓に取り付ける仕掛けになった固定布。４はこたつ布団をつなげる着脱式スライドファスナー（図１１、１２参照）で、着脱部分（１８）を上にして座卓枠（６）の１３（図４参照）に挟み、５の開閉つまみ金具を下（こたつ布団の裾方向）に引いて接合させさる。
図２は本考案を冬期こたつとして使用する際の俯瞰図で、１は改良型座卓の表面、２はこたつ布団、４はこたつ布団片をつなげるスライドファスナー、５はその開閉つまみ金具で、６はこたつ布団を取り付ける構造を有する改良型座卓の枠で、１８はその下にかくれている。
図３は請求項１の改良型座卓をこたつ不要の季節に使用する際の、こたつ布団を取り外した場合の俯瞰図である。１は座卓表面。６は座卓の枠であるが、こたつ布団をとりつけるための構造は、６の裏側の見えない部分にかくれている。７は座卓の脚。
図４は請求項１の改良型座卓を裏返して改良部分を具体的に示した図で、説明をわかりやすくするため、こたつ枠を誇張して太く書いてある。６はこたつ枠、７は座卓の脚。８は暖房器具取り付け部分。９は、こたつ布団を座卓に取り付けるための溝で、そこへ１０のステンレス製金具で、こたつ布団の固定布３（図１０参照）を引っかけて押し込む。１１は９へ押し込んだ１０を押圧して３を座卓の枠（６）に固定するための締めつけビスである（図６と図７参照）。１２はスライドファスナーの着脱部分（１８）を押さえ込んで１３の穴に固定させるための１０の１部分（図９参照）である。
図５は座卓の枠（６）の断面図で、９の溝に１０（図６参照）を押し込み、１１の締めつけビスが１４（図６参照）を押圧する。
図６は９に押し込むステンレス製金具の断面図である。１４は図５の締めつけビス（１１）を受けて、３（図７参照）を押して６に固定するための１０の凹部分で、１７は３への締めつけを効果あらしめるための鋸目（図９参照）。
図７はこたつ布団を座卓にとりつける部分の断面図である。３は図６の金具（１０）にひっかけるための袋型の強い素材の布で、締めつけビス（１１）の押圧を受けた１４に押されて１７の鋸目によって、座卓の枠（６）に固定される。２はこたつ布団で、１５（斜線部分）は３と２を縫合密着させた部分である。
図８は図５の斜視図である。６は座卓枠、９は１０を受け入れる溝。１１はしめつけビス、１６はビス穴（１２を受ける雌ねじ）である。
図９は図６（１０）の斜視図である。１４はビスの押圧を受けて布（３）を座卓枠（６）に固定するための凹部分。１２はスライドファスナー着脱部分を１３（図４参照）の穴に固定するための１０の一部分。１７はビス（１２）をねじ込むことによって布（３）に食い込んで１０に固定させるための鋸目。
図１０は図７の斜視図である。３を１０にひっかけて９の溝に押し込み、１１をねじ込んで１４を押圧することによって、こたつ布団を座卓の枠（６）に固定する。
図１１は着脱式スライドファスナー（４）を上から見た図で、５が開閉つまみ金具、１８が着脱部分。
図１２は着脱式スライドファスナーの側面図で、１８の着脱部分が１２に押されて１３に収まる。
【図面の簡単な説明】
【０００７】
【図１】本考案を解体して全容を示す真上からの図
【図２】同こたつとして使用する際の俯瞰図
【図３】同冬期以外に座卓として使用する際の俯瞰図
【図４】同裏返してこたつ布団を取り付ける金具（１０）を取り外した場合の図
【図５】同座卓の枠の断面図
【図６】同こたつ布団を座卓に固定する金具の断面図
【図７】同こたつ布団を座卓に取り付ける部分の断面図
【図８】同座卓の枠の断面斜視図
【図９】同こたつ布団の固定布を引っかけて、６の凹部９に収まる１０の斜視図
【図１０】同こたつ布団を座卓枠へ取り付ける部分の斜視図
【図１１】こたつ布団をつなげるスライドファスナーを上から見た図
【図１２】こたつ布団をつなげるスライドファスナーの側面図
【符号の説明】
【０００８】１    請求項１の座卓の表面
２    こたつ布団
３    座卓に取り付けるこたつ布団の固定布
４    こたつ布団をつなぐ着脱式スライドファスナー
５    スライドファスナーの開閉つまみ金具
６    座卓枠
７    座卓の脚
８    座卓の暖房器具取り付け部分
９    こたつ布団の固定布を座卓に固定するための溝
１０  ９の溝へこたつ布団の固定布を押し込んで固定するためのステンレス金具
１１  ９に押し込んだ１０を押圧して固定するためのビス
１２  １０の一部で、ファスナーの着脱部分を押さえ込む部分
１３  １１が押さえ込むファスナーの着脱部分をうけとめるための穴
１４  ビスに押されてこたつの固定布を押圧する金具（１０）の凹部分
１５  こたつ布団と固定布を縫合密着させた部分
１６  座卓枠にあけたビス穴で、ビスを受ける雌ねじ
１７  こたつ布団の固定布を引っかけて９の溝に押し込まれた１０が、ビスに押された際、布に食い込んでしっかり６に固定させるための１０の鋸目の部分
１８  着脱式スライドファスナーの着脱部分
【図１】
0003135463.tif 000003
【図２】
0003135463.tif 000004
【図３】
0003135463.tif 000005
【図４】
0003135463.tif 000006
【図５】
0003135463.tif 000007
【図６】
0003135463.tif 000008
【図７】
0003135463.tif 000009
【図８】
0003135463.tif 000010
【図９】
0003135463.tif 000011
【図１０】
0003135463.tif 000012
【図１１】
0003135463.tif 000013
【図１２】
0003135463.tif 000014
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
こたつ用座卓とこたつ布団において、梯形４枚の布団をファスナーでつなぎあわせ、それを座卓に取り付ける造りにして、座卓の四辺にも布団を受ける装置をつけ、夏は布団をとりはずし、オールシーズン使えるようにした構造の、こたつ布団を取り付けられる座卓。